(57)【要約】【課題】優れた足指の除湿・消臭効果を有し、しかも、足指のストレッチをしたり、足指をリラックスさせたりする効果を有する装着感に優れた足指除湿・消臭用具を提供する。【解決手段】４枚の縦板部１４、１６、１８、２０が並列配置され、隣接する縦板部の基端側上端部間に計３枚の上側横板部２２、２４、２６、基端側下端部間に計３枚の下側横板部２８、３０、３２がそれぞれ配設され、各縦板部内に基端側に開口を有する収納室が形成され、各縦板部の収納室の壁部に通気孔が形成された弾性体からなる装着体を有し、各縦板部の収納室内にそれぞれ乾燥・吸着剤が挿入された足指除湿・消臭用具１０とする。そして、隣接する縦板部の間に第２足指〜第４足指をそれぞれ挿入する。【選択図】図２
2012223408.tif 000002
【特許請求の範囲】
【請求項１】
足指に装着して足指の除湿および消臭を行う用具であって、
４枚の縦板部が並列配置され、隣接する縦板部の基端側上端部間に計３枚の上側横板部、基端側下端部間に計３枚の下側横板部がそれぞれ配設され、前記各縦板部内には基端側に開口を有する収納室が形成され、かつ、前記各縦板部の収納室の両側の壁部には収納室の内外を連通させる通気孔が形成された弾性体からなる装着体を具備するとともに、
前記各縦板部の収納室内にそれぞれ乾燥・吸着剤が前記開口から取り出し可能に挿入され、
前記隣接する縦板部の間に第２足指〜第４足指をそれぞれ挿入することを特徴とすることを特徴とする足指除湿・消臭用具。
【請求項２】
前記縦板部は、基端側が略四角形、先端側が略半円形に形成されていることを特徴とする請求項１に記載の足指除湿・消臭用具。
【請求項３】
前記装着体は、平面視において、第２足指を挿入する２枚の縦板部間に配設された上側横板部の後端両側部を結んだ線と水平線とのなす角度が＋３．０〜＋９．０°、第３足指を挿入する２枚の縦板部間に配設された上側横板部の後端両側部を結んだ線と水平線とのなす角度が−６．５〜−１２．５°、第４足指を挿入する２枚の縦板部間に配設された上側横板部の後端両側部を結んだ線と水平線とのなす角度が−３５．０〜−４１．０°であることを特徴とする請求項１または２に記載の足指除湿・消臭用具。
【発明の詳細な説明】
【技術分野】
【０００１】
本発明は、人の足指に装着して足指の除湿および消臭を行う用具に関する。
【背景技術】
【０００２】
従来、足の除湿および消臭を行う用具として、特許文献１の足用汗取りシートが提案されている。特許文献１の足用汗取りシートは、吸湿性を有する一枚の平面シート状の基布に複数のスリットを入れることにより、足指を通すための複数の指通し孔と、足裏に接触する主体部と、踵に係止させるための係止帯とを一体に形成したものである（請求項１参照）。
【０００３】
特許文献１の足用汗取りシートは、複数の指通し孔に足指を通すと共に、係止帯を踵に係止させることにより、足先から足裏にかけて脱落しないように確実かつ安定的に取り付けることができ、足指の間や足の裏などにかいた汗を確実に吸収させることができる（段落０００９参照）。
【先行技術文献】
【特許文献】
【０００４】
【特許文献１】特開２００６−２１４０３４号公報
【発明の概要】
【発明が解決しようとする課題】
【０００５】
しかし、特許文献１の足用汗取りシートは、足指の間や足の裏などにかいた汗をシートに吸収させることができ、したがって足の除湿・消臭効果は有するものの、足指のストレッチをしたり、足指をリラックスさせたりする効果を有さないものであった。
【０００６】
本発明は、上記事情に鑑みてなされたもので、優れた足指の除湿・消臭効果を有し、しかも、足指のストレッチをしたり、足指をリラックスさせたりする効果を有する装着感に優れた足指除湿・消臭用具を提供することを目的とする。
【課題を解決するための手段】
【０００７】
本発明は、前記目的を達成するため、
足指に装着して足指の除湿および消臭を行う用具であって、
４枚の縦板部が並列配置され、隣接する縦板部の基端側上端部間に計３枚の上側横板部、基端側下端部間に計３枚の下側横板部がそれぞれ配設され、前記各縦板部内には基端側に開口を有する収納室が形成され、かつ、前記各縦板部の収納室の両側の壁部には収納室の内外を連通させる通気孔が形成された弾性体からなる装着体を具備するとともに、
前記各縦板部の収納室内にそれぞれ乾燥・吸着剤が前記開口から取り出し可能に挿入され、
前記隣接する縦板部の間に第２足指〜第４足指をそれぞれ挿入することを特徴とすることを特徴とする足指除湿・消臭用具を提供する。
【０００８】
本発明において、前記装着体は、縦板部の基端側が略四角形、先端側が略半円形に形成されていることが好ましい。このようにすると、装着体を足指に装着したときに優れた装着感を得ることができる。
【０００９】
本発明において、前記装着体は、平面視において、第２足指を挿入する２枚の縦板部間に配設された上側横板部の後端両側部を結んだ線と水平線とのなす角度が＋３．０〜＋９．０°、第３足指を挿入する２枚の縦板部間に配設された上側横板部の後端両側部を結んだ線と水平線とのなす角度が−６．５〜−１２．５°、第４足指を挿入する２枚の縦板部間に配設された上側横板部の後端両側部を結んだ線と水平線とのなす角度が−３５．０〜−４１．０°であることが好ましい。このようにすると、装着体がほとんどの人の足にフィットするという顕著な作用効果を得ることができる。
【００１０】
本発明において、乾燥・吸着剤の種類等に限定はなく、例えばシリカゲル、石灰等を用いることができるが、吸湿性、吸着性に優れ、かつ取り扱いやすい点で、シリカゲルを固形状にしたものを好適に用いることができる。
【００１１】
本発明において、装着体を形成する弾性体の種類に限定はなく、各種の弾性を有するプラスチック類、ゴム類等から適宜選択することができるが、装着感が良い点で、シリコーン樹脂が特に好ましい。
【発明の効果】
【００１２】
本発明の足指除湿・消臭用具は、乾燥・吸着剤により足指の間に生じた汗や悪臭成分を吸収することにより、優れた足指の除湿・消臭効果を有し、しかも、装着体を足指に装着することにより、足指のストレッチをしたり、足指をリラックスさせたりする効果を有する。
【図面の簡単な説明】
【００１３】
【図１】本発明に係る足指除湿・消臭用具の一実施形態を示す平面図である。
【図２】図１の足指除湿・消臭用具の正面図である。
【図３】図１の足指除湿・消臭用具の背面図である。
【図４】図１の足指除湿・消臭用具の縦板部を示すもので、（ａ）は側面図、（ｂ）は（ａ）図のｂ−ｂ断面図である。
【図５】図１の足指除湿・消臭用具における各上側横板部の後端両側部を結んだ線と水平線とのなす角度を示す説明図である。
【図６】図１の足指除湿・消臭用具を足指に装着した状態を示す平面図である。
【発明を実施するための形態】
【００１４】
以下、本発明の実施形態につき図面を参照して詳しく説明する。図１〜図３は、本発明に係る足指除湿・消臭用具の一実施形態を示すもので、図１は平面図、図２は正面図、図３は背面図である。なお、右足用の足指除湿・消臭用具を示す。
【００１５】
本例の足指除湿・消臭用具１０において、１２は弾性を有するシリコーン樹脂により一体成形された装着体を示す。本例の装着体１２は、４枚の縦板部が並列配置され、隣接する縦板部の基端側上端部間に計３枚の上側横板部、基端側下端部間に計３枚の下側横板部がそれぞれ配設されたものである。
【００１６】
より具体的には、装着体１２は、基端側が略四角形、先端側が略半円形に形成された第１縦板部１４、第２縦板部１６、第３縦板部１８および第４縦板部２０がこの順で並列配置されているとともに、第１縦板部１４および第２縦板部１６の基端側上端部間に第１上側横板部２２、第２縦板部１６および第３縦板部１８の基端側上端部間に第２上側横板部２４、第３縦板部１８および第４縦板部２０の基端側上端部間に第３上側横板部２６、第１縦板部１４および第２縦板部１６の基端側下端部間に第１下側横板部２８、第２縦板部１６および第３縦板部１８の基端側下端部間に第２下側横板部３０、第３縦板部１８および第４縦板部２０の基端側下端部間に第３下側横板部３２がそれぞれ配設されている。
【００１７】
また、図４に示すように、各縦板部１４、１６、１８、２０内には、基端側に開口３４を有する収納室３６が形成されているとともに、各縦板部１４、１６、１８、２０の収納室３６の両側の壁部に、収納室３６の内外を連通させる複数（本例では両側の壁部にそれぞれ５つ）の円形の通気孔３８が形成されている。そして、各縦板部１４、１６、１８、２０の収納室内３６に、シリカゲル粉末を円板状に固めた固形状の乾燥・吸着剤４０が開口３４から取り出し可能にそれぞれ挿入されている。この場合、収納室３６の入口部には、乾燥・吸着剤４０の外径よりも幅が小さい部分４２が形成されており、これにより乾燥・吸着剤４０を収納室３６内に挿入したときに、乾燥・吸着剤４０が収納室３６から抜け出ないようになっている。なお、収納室３６からは、例えばピンセットを使って乾燥・吸着剤４０を取り出し、交換することができる。
【００１８】
本例の装着体１２は、図５に示すように、平面視において、第２足指を挿入する第１縦板部と第２縦板部との間に設けられた第１上側横板部２２の後端両側部を結んだ線と水平線とのなす角度ａが＋３．０〜＋９．０°（より具体的には＋５．９°）、第３足指を挿入する第２縦板部と第３縦板部との間に設けられた第２上側横板部２４の後端両側部を結んだ線と水平線とのなす角度ｂが−６．５〜−１２．５°（より具体的には−９．５°）、第４足指を挿入する第３縦板部と第４縦板部との間に設けられた第３上側横板部２６の後端両側部を結んだ線と水平線とのなす角度ｃが−３５．０〜−４１．０°（より具体的には−３８．１°）である。
【００１９】
本例の足指除湿・消臭用具１０は、図６に示すように、装着体１２の第１縦板部１４と第２縦板部１６との間に第２足指４４、第２縦板部１６と第３縦板部１８との間に第３足指４６、第３縦板部１８と第４縦板部２０との間に第４足指４８を挿入することにより、足指に装着するものである。なお、図６は、左足用の足指除湿・消臭用具を示す。
【００２０】
本実施形態の足指除湿・消臭用具は、下記の作用効果を奏する。
（Ａ）乾燥・吸着剤により足指の間に生じた汗や悪臭成分を吸収することにより、優れた足指の除湿・消臭効果を有する。
（Ｂ）装着体が弾性体で形成されているため、装着体を足指に装着することにより、足指のストレッチをしたり、足指をリラックスさせたりする効果を有する。
（Ｃ）装着体が弾性体で形成され、かつ、縦板部の基端側が略四角形、先端側が略半円形であるため、装着体を足指に装着しても、足指が痛くなることがないとともに、装着感に優れている。
（Ｄ）５本の足指が装着体の外に出る構造であるため、装着体が足指に良好にフィットし、装着感に優れている。
（Ｅ）前記角度ａを＋３．０〜＋９．０°、角度ｂを−６．５〜−１２．５°、角度ｃを−３５．０〜−４１．０°としたので、装着体がほとんどの人の足にフィットする。
（Ｆ）乾燥・吸着剤が交換可能であるため、経済的である。
【符号の説明】
【００２１】
１０  足指除湿・消臭用具
１２  装着体
１４  第１縦板部
１６  第２縦板部
１８  第３縦板部
２０  第４縦板部
２２  第１上側横板部
２４  第２上側横板部
２６  第３上側横板部
２８  第１下側横板部
３０  第２下側横板部
３２  第３下側横板部
３４  開口
３６  収納室
３８  通気孔
４０  乾燥・吸着剤
４４  第２足指
４６  第３足指
４８  第４足指
【図１】
2012223408.tif 000003
【図２】
2012223408.tif 000004
【図３】
2012223408.tif 000005
【図４】
2012223408.tif 000006
【図５】
2012223408.tif 000007
【図６】
2012223408.tif 000008